(57)【要約】【課題】空洞形状の把持部の内部の手入れを容易に行うことのできる液体用容器を提供する。【解決手段】ハンドル３は筒状で、内部に内部空間９が形成されている。内部空間９は、ハンドル３の両端において、貯留空間２と連通している。内部空間９の長手方向の延長線Ｌ上に開口部５が開口している。このため、細長いブラシを開口部５を介してハンドル３の内部空間９に挿入できるので、ハンドル３の内部を容易に手入れすることができる。【選択図】図２
2016132470.tif 000002
【特許請求の範囲】
【請求項１】
液体を貯留する貯留空間を内部に有する液体用容器であって、
該液体用容器を把持するための把持部と、
前記貯留空間と前記液体用容器の外部との間で液体が出入り可能な開口部と
を備え、
前記把持部は、前記貯留空間と連通する内部空間を有する空洞形状であり、
前記内部空間の延長線上に前記開口部が開口する、液体用容器。
【発明の詳細な説明】
【技術分野】
【０００１】
この発明は、液体用容器に係り、特に、給茶機等の飲料機器において飲用水を貯留するために使用される給水用タンクのような液体用容器に関する。
【背景技術】
【０００２】
飲料機器の給水用タンクは多くの場合、ブロー成型によって成型されている。給水用タンク内に貯留される水は飲用水であるため、給水用タンク内を衛生的に保つ必要があり、給水口は、内部に腕を入れてブラシ等を使って内部を洗浄できる程度の大きさになっている。給水用タンクを持ち運ぶ際の把持部となるハンドルが給水用タンクの上部に設けられており、特許文献１に記載されるように、飲用水を貯留する空間と連通するような空洞のハンドルにすると、給水口から給水用タンク内に腕を入れられたとしても、ハンドル内部の狭い空間は、容易に手入れを行うことはできない。給水用タンクにおいて、手入れができない空間が存在すると不衛生である。このような場合、給水用タンクの内部の衛生を保つためには、飲用水を貯留する空間とハンドル内部の空間とを仕切る必要がある。
【先行技術文献】
【特許文献】
【０００３】
【特許文献１】実開平７−３５３５６号公報
【発明の概要】
【発明が解決しようとする課題】
【０００４】
しかしながら、飲用水を貯留する空間とハンドル内部の空間とを仕切ると、外気温の変化によってハンドル内部の空間の空気が膨張または収縮し、ハンドルが変形することがあるので、外気とつながるように孔を開けなければならない。すると、この孔から水が入って腐敗したり、カビの原因となったりするが、内部を掃除することができないといった問題点があった。
【０００５】
この発明はこのような問題点を解決するためになされたもので、空洞形状の把持部の内部の手入れを容易に行うことのできる液体用容器を提供することを目的とする。
【課題を解決するための手段】
【０００６】
この発明に係る液体用容器は、液体を貯留する貯留空間を内部に有する液体用容器であって、液体用容器を把持するための把持部と、貯留空間と液体用容器の外部との間で液体が出入り可能な開口部とを備え、把持部は、貯留空間と連通する内部空間を有する空洞形状であり、内部空間の延長線上に開口部が開口する。
【発明の効果】
【０００７】
この発明によれば、把持部の内部空間の延長線上に開口部が開口することにより、開口部から内部空間へ清掃用具を挿入可能となるので、空洞形状の把持部の内部の手入れを容易に行うことができる。
【図面の簡単な説明】
【０００８】
【図１】この発明の実施の形態に係る液体用容器の斜視図である。
【図２】この実施の形態に係る液体用容器の断面図である。
【図３】この実施の形態に係る液体用容器の置く向きを変更した状態の斜視図である。
【発明を実施するための形態】
【０００９】
以下、この発明の実施の形態を添付図面に基づいて説明する。
図１に示されるように、樹脂製の液体用容器である給水タンク１は、正面部１ａと、背面部１ｂと、側面部１ｃと、上面部１ｄと、底面部１ｅとを有し、これらによって内部に貯留空間２（図２参照）が確定されている。上面部１ｄの上方には、給水タンク１を持ち運ぶときに把持するための把持部であるハンドル３が、上面部１ｄと平行に、かつ、背面部１ｂから正面部１ａに向かって延びるように設けられている。
【００１０】
正面部１ａの上端には、背面部１ｂに向かって傾斜する傾斜面４が接続されている。傾斜面４には、円形の開口部５が形成されている。開口部５は、人の腕が挿入可能な程度の直径を有している。傾斜面４の上端とハンドル３とは、ハンドル３の上面３ａと面一な接続面６によって接続されている。ハンドル３の上面３ａ及び接続面６は、底面部１ｅを底にして給水タンク１を置いたときに、最も高い位置に位置するようになっている。接続面６には、図示しない飲料機器との接続ジョイントが接続される接続口７が、上方に突出するように形成されている。
【００１１】
図２に示されるように、背面部１ｂの上端とハンドル３とは、略円弧状に湾曲した湾曲面８によって接続されている。ハンドル３は筒状で、内部に内部空間９が形成されている。内部空間９は、ハンドル３の両端において、貯留空間２と連通している。内部空間９の長手方向の延長線Ｌ上に開口部５が開口している。このため、細長いブラシを開口部５を介してハンドル３の内部空間９に挿入できるので、ハンドル３の内部を容易に手入れすることができる。
【００１２】
また、貯留空間２内に貯留される液体は飲用水であるので、雑菌の繁殖を防ぐため、残水があれば完全に排水してから飲用水を補給する必要があり、給水タンク１内を薬品洗浄した際も同様に、給水タンク１内の残水を完全に排水する必要がある。給水タンク１において残水を完全に排水するためには、貯留空間２に貯留されている飲用水の大部分を開口部５から排水した後、給水タンク１の上下を完全に逆さまにして、図示しない接続ジョイントを外した接続口７をシンク等の排水口に突っ込んで放置する。底面部１ｅを底にして給水タンク１を置いたときに、接続口７は最も高い位置に位置するので、給水タンク１を上下逆さまにすると、接続口は最も低い位置に位置することになる。その結果、給水タンク１内の残水が接続口７から排水されるので、給水タンク１を持って支持する必要もなくなり、作業者の負担を軽減することができる。
【００１３】
さらに、背面部１ｂの上端とハンドル３とは、略円弧状に湾曲した湾曲面８によって接続されているので、給水タンク１を上下逆さまにすると、残水が湾曲面８に沿ってハンドル３の内部空間９へ導入されるようになるので、接続口７からの排水を促進することができる。また、ハンドル３の根元部分に傾斜部１０を設けることにより、ハンドル３と上面部１ｄとの間に形成された空間、すなわち、給水タンク１を持ち運ぶときに手を挿入する空間が広がるので、ハンドル３を把持しやすくなるといった効果もある。さらにこの傾斜部１０によって、給水タンク１を上下逆さまにして排水する際に、残水が傾斜部１０に沿ってハンドル３の内部空間９へ導入されるようになるので、接続口７からの排水を促進することができる。
【００１４】
また、正面部１ａの上端から背面部１ｂに向かって傾斜する傾斜面４に開口部５が形成されていることにより、図１に示されるように底面部１ｅを底にして給水タンク１を置いても、図３に示されるように背面部１ｂを底にして給水タンク１を置いても、開口部５の開口する向きが同じ方向になる。このため、給水タンク１へ水道の蛇口から給水する際にシンクから蛇口までの高さが十分高いときは、底面部１ｅを底にして給水タンク１を置き、シンクから蛇口までの高さが低いときは、背面部１ｂを底にして給水タンク１を置くことで、蛇口と開口部５との距離を調整することができる。
【符号の説明】
【００１５】
１  給水タンク（液体用容器）、２  貯留空間、３  ハンドル（把持部）、５  開口部、９  内部空間、Ｌ  延長線。
【図１】
2016132470.tif 000003
【図２】
2016132470.tif 000004
【図３】
2016132470.tif 000005